(57)【特許請求の範囲】
【請求項１】
着座者を支持する椅子の座部材であって、
前記着座者の荷重を受けることにより、下方に撓むように弾性変形する座面部材と、
前記座面部材を支持する座部フレームと、を備え、
前記座部フレームは、前記座面部材から下方に離間して配置され、前記座面部材が前記弾性変形して当接することで前記座面部材の下方への変位を規制する前部連結杆を備え、
前記座面部材は、前記着座者の荷重により前記弾性変形可能な荷重支持領域と、前記荷重支持領域の前側に配置され前記荷重支持領域よりも相対的に前記弾性変形しにくい前側領域と、を有し、
前記前部連結杆は、前記座部材を平面視して前記荷重支持領域と前記前側領域との境界部に配置されていることを特徴とする座部材。
【請求項２】
前記座面部材の下面から下方に延びる第１保持壁を有し、
前記前部連結杆は、前記第１保持壁と係合して、前記座面部材の後方への変位を規制することを特徴とする請求項１に記載の座部材。
【請求項３】
前記第１保持壁は、前記座面部材の左右方向に延びていることを特徴とする請求項２に記載の座部材。
【請求項４】
前記座面部材には、前記第１保持壁の前側に前後方向に延びるリブが設けられていることを特徴とする請求項２または３に記載の座部材。
【請求項５】
前記座面部材の下面において、前記前部連結杆を挟んで前記第１保持壁の反対側に位置する部分から下方に延びる第２保持壁を有し、
前記前部連結杆は、前記第２保持壁と係合して、前記座面部材の前方への変位を規制することを特徴とする請求項２から４のいずれか一項に記載の座部材。
【請求項６】
前記座面部材は、前記座部フレームの上部に設けられ座面を形成することを特徴とする請求項１から５のいずれか一項に記載の座部材。
【請求項７】
請求項１から６のいずれか一項に記載の座部材と、
前記座部材を支持する脚部と、
前記座部材の後方に設けられた背凭れ部と、を備え、
前記座部材は、前記脚部または前記背凭れ部に対して後端部側を中心として前端部を上方に跳ね上げ可能とされ、
前記座部材は、前記前部連結杆の下方を覆う下部カバー、をさらに備え、
前記下部カバーの下面には、下方に向かって突出する突条が形成され、
前記脚部は、前記突条を支持する支持脚を有し、
前記座部材が前記前端部を前方に向け着座可能とされた位置で、前記支持脚の鉛直上方に、前記突条及び前記前部連結杆が配置されていることを特徴とする椅子。
【発明の詳細な説明】
【技術分野】
【０００１】
本発明は、座部材及び椅子に関するものである。
【背景技術】
【０００２】
一般的に、椅子は、脚部と、脚部に支持された座部と、座部の後方に設けられた背部とを備えている。このような椅子の座部として、四方枠状に形成された枠フレームと、枠フレームにより縁部が支持され硬質合成樹脂で成型された座板と、座板上に載置され軟質弾性体により形成されたクッション材と、これら座板及びクッション材を覆う表皮材と、を備えたものが提案されている（下記特許文献１参照）。
【０００３】
このような椅子では、利用者が座部に着座すると、座板及びクッション材が、弾性変形し、枠フレームの内周側に沈み込むように変位する。これにより、着座者に柔軟で心地の良い着座感を与えることができる。その一方で、着座時に最も荷重の作用する座部の平面視中央部分では、その下方に座部を支持する枠フレーム等の支持部材が配置されていないため、座板及びクッション材の沈む込みを制限することが難しい。
【０００４】
そこで、座部（座）の平面視中央部分の下方に左右方向に延びるように配置され、座を支持する中間メンバーを備えて椅子が提案されている（下記特許文献２参照）。
【先行技術文献】
【特許文献】
【０００５】
【特許文献１】特許第４５１８６０３号公報
【特許文献２】特開２００９−１０６４２２号公報
【発明の概要】
【発明が解決しようとする課題】
【０００６】
上記の特許文献２に記載された椅子では、中間メンバーは、座部を構成するクッション材及びインナーシェルと離間してこれらの下方に配置されおり、利用者が座部に着座すると、クッション材及びインナーシェルが沈み込むように下方に変位する。利用者から座部に作用する荷重により、例えばインナーシェルが中間メンバーに当接した場合には、下方への変位が制限される可能性がある。しかしながら、インナーシェルは平面視中央部分の下方、つまり着座者の下方に設けられており、着座者から座部に作用する荷重によりインナーシェルと中間メンバーとが当接すると、着座者はその部材同士の当接した感触を感じることになり、座り心地が悪いという問題点がある。
【０００７】
そこで、本発明は、上記事情に鑑みてなされたものであり、良好な座り心地とすることができる座部材及び椅子を提供することである。
【課題を解決するための手段】
【０００８】
上記目的を達成するために、本発明は以下の手段を採用している。
すなわち、本発明に係る座部材は、着座者を支持する椅子の座部材であって、前記着座者の荷重を受けることにより、下方に撓むように弾性変形する座面部材と、前記座面部材を支持する座部フレームと、を備え、前記座部フレームは、前記座面部材から下方に離間して配置され、前記座面部材が前記弾性変形して当接することで前記座面部材の下方への変位を規制する前部連結杆を備え、前記座面部材は、前記着座者の荷重により前記弾性変形可能な荷重支持領域と、前記荷重支持領域の前側に配置され前記荷重支持領域よりも相対的に前記弾性変形しにくい前側領域と、を有し、前記前部連結杆は、前記座部材を平面視して前記荷重支持領域と前記前側領域との境界部に配置されていることを特徴とする。
【０００９】
このように構成された座部材では、着座者の臀部を支持する荷重支持領域は、大きく弾性変形して撓み、下方に大きく変位する。これにより、座面部材における荷重支持領域よりも前側に配置された部分は、荷重支持領域の前側に配置された前部連結杆と当接する。つまり、座面部材において、前部連結杆と当接する部分は、着座者の臀部を支持する荷重支持領域よりも前側に配置されている。よって、着座者の臀部を支持する荷重支持領域には前部連結杆と座面部材との当接する感触が伝達されにくいため、良好な座り心地とすることができる。
また、前部連結杆と座面部材とが当接し、座面部材の下方への変位が規制された状態において、荷重支持領域では、着座者の臀部を支持し、座面部材が下方に撓んで着座者の臀部を下方から包み込むように変形する。その一方で、前側領域では、着座者の大腿部を支持し、座面部材の前部が下方へ傾斜するように変形する。よって、座面部材は着座者の体の部位に沿って変形することができるため、良好な座り心地とすることができる。
【００１２】
また、本発明に係る座部材は、前記座面部材の下面から下方に延びる第１保持壁を有し、前記前部連結杆は、前記第１保持壁と係合して、前記座面部材の後方への変位を規制してもよい。
【００１３】
このように構成された座部材では、第１保持壁と前部連結杆との係合により、座面部材の後方への変位が規制される。したがって、座面部材の下方への変位が規制されている状態、すなわち、座面部材の荷重支持領域が最も下方へ変位し、着座者の臀部の位置が安定した状態において、着座者の大腿部の位置も安定させることができる。また、座部に加わる荷重の向きや大きさによって、座面部材が、鉛直下方に変位せずに、後部が下方へ傾斜するように変位して、前部連結杆が座面部材の下面よりも先に第１保持壁へ当接する場合であっても、変位の方向を鉛直下方へ引き戻すことが可能になる。
【００１４】
また、本発明に係る座部材は、前記第１保持壁は、前記座面部材の左右方向に延びていてもよい。
【００１５】
このように構成された座部材では、座面部材の左右方向にわたって座面部材の後方への変位が規制される。よって、荷重支持領域と前側領域とを左右方向にわたって明確に区別することができる。したがって、前側領域という限定的な範囲においてのみ、着座者の大腿部に合わせて前部が下方へ傾斜するように変位させることができる。
【００１６】
また、本発明に係る座部材は、前記座面部材には、前記第１保持壁の前側に前後方向に延びるリブが設けられていてもよい。
【００１７】
このように構成された座部材では、座面部材の第１保持壁の前側に前後方向に延びるリブが設けられているため、座面部材の前側領域では、剛性が高められ、着座者の荷重による変形が抑制される。よって、座面部材の前側領域は、荷重支持領域の変位の影響を受けることなく、着座者の大腿部に沿って変形することができる。
【００１８】
また、本発明に係る座部材は、前記座面部材の下面において、前記前部連結杆を挟んで前記第１保持壁の反対側に位置する部分から下方に延びる第２保持壁を有し、前記前部連結杆は、前記第２保持壁と係合して、前記座面部材の前方への変位を規制していてもよい。
【００１９】
このように構成された座部材では、座部材に作用する荷重が取り除かれると、座面部材は、前部連結杆から第１保持壁を離間させるように変位して、荷重が作用する前の初期位置に戻ろうとする。このとき、前部連結杆は第１保持壁と第２保持壁との間に配置されるため、前部連結杆の座面部材に対する位置決めがされる。よって、座面部材が初期位置に戻ろうとする際の座面部材の変位量が抑制されるため、座部の劣化を抑制することができる。
また、座面部材に荷重が作用しているときには、座部に加わる荷重の向きや大きさによって、座面部材が、鉛直下方に変位せずに、前部が下方へ傾斜するように変位して、前部連結杆が座面部材の下面よりも先に第２保持壁へ当接する場合であっても、変位の方向を鉛直下方へ引き戻すことが可能になる。これにより、荷重支持領域では、前方への変位が規制された状態で、着座者の臀部を支持し、座面部材が下方に撓んで着座者の臀部を下方から包み込むように変形する。その一方で、座面部材の前側領域において、前部が下方へ傾斜するように変形して、着座者の大腿部を安定的な状態で支持することができる。
【００２０】
また、本発明に係る座部材は、前記座面部材は、前記座部フレームの上部に設けられ座面を形成していてもよい。
【００２１】
このように構成された座部材では、座面部材を支持する座部フレームは、強度部材として機能する。さらに、強度部材としての座部フレームの一部である前部連結杆は、座面部材と当接すると、座面部材の下方への変位を確実に規制することができる。
【００２２】
また、本発明に係る椅子は、上記のいずれか一に記載の座部材と、前記座部材を支持する脚部と、前記座部材の後方に設けられた背凭れ部と、を備え、前記座部材は、前記脚部または前記背凭れ部に対して後端部側を中心として前端部を上方に跳ね上げ可能とされ、前記座部材は、前記前部連結杆の下方を覆う下部カバー、をさらに備え、前記下部カバーの下面には、下方に向かって突出する突条が形成され、前記脚部は、前記突条を支持する支持脚を有し、前記座部材が前記前端部を前方に向け着座可能とされた位置で、前記支持脚の鉛直上方に、前記突条及び前記前部連結杆が配置されていることを特徴とする。
【００２３】
このように構成された椅子では、座部材の前端部が前方に向け着座可能とされた位置まで座部材を回動した際に、脚部の支持脚の鉛直上方には、下部カバーの下面から下方に向かって突出する突条が配置される。また、この突条の鉛直上方には座面部材を支持する前部連結杆が配置されている。よって、これら突条及び前部連結杆が座部材を回動した際の支持脚と座部材との衝撃を吸収するため、強度の優れた椅子とすることができる。
【発明の効果】
【００２４】
この発明に係る座部材及び椅子によれば、良好な座り心地とすることができる。
【図面の簡単な説明】
【００２５】
【図１】本実施形態に係る椅子の正面図である。
【図２】本実施形態に係る椅子の右側面図である。
【図３】椅子において座部を上方に跳ね上げた状態を示す右側面図である。
【図４】座部の下面図である。
【図５】座部の左右方向中心に沿った側断面図である。
【図６】座部を構成する座部フレームおよび下部カバーを示す図であり、（ａ）は下部カバーに座部フレームを装着する前の状態を示す斜視図、（ｂ）は下部カバーに座部フレームを装着した状態を示す斜視図である。
【図７】座部を構成する座部フレーム、下部カバー、座面部材のベース板を示す図であり、図４におけるＡ−Ａ矢視断面図である。
【図８】ベース板の下面図である。
【発明を実施するための形態】
【００２６】
以下、添付図面を参照して、本発明の一実施形態に係る椅子について説明する。
図１は、本実施形態に係る椅子の正面図である。図２は、本実施形態に係る椅子の右側面図である。
図１、図２に示すように、椅子１は、床面上に載置される脚部１０と、脚部１０に支持された座部（座部材）２０と、座部２０の後方に設けられた背凭れ部３０と、を備えている。
以下の説明において、便宜上、椅子１の座部２０上に背凭れ部３０に着座した椅子利用者（着座者）が前を向く方向を「前方」、その反対方向を「後方」、つまり図１に示す紙面に直交する方向を前後方向と称する。さらに、椅子１を設置する床側とその反対側を結ぶ方向を上下方向、椅子１の幅方向、つまり図１の紙面に沿った横方向を左右方向と称する。
【００２７】
（脚部）
脚部１０は、左右一対で構成された脚フレーム１１，１１と、これら左右の脚フレーム１１，１１どうしを連結する前フレーム１２と、を一体に備えている。脚部１０は、金属材料からなる管状の材料により形成されている。
【００２８】
それぞれの脚フレーム１１は、前方に配設された前脚１３と、後方に配設された後脚１４と、前脚１３の上部と後脚１４の上部とを互いに連結する上部連結杆１５と、を有している。
【００２９】
前脚１３は、その下端から鉛直上方に延びる鉛直部１３ａと、鉛直部１３ａの上端で湾曲して後方に向けて斜め上方に延びる斜行部１３ｂと、を有している。この前脚１３の鉛直部１３ａの下端には、キャスター１６が装着されている。
【００３０】
後脚１４は、その下端から鉛直上方に延びる鉛直部１４ａと、鉛直部１４ａの上方で湾曲して前方に向けて斜め上方に延びる斜行部１４ｂと、を有している。この後脚１４の鉛直部１４ａの下端には、キャスター１７が装着されている。
また、後脚１４は、斜行部１４ｂに連続し、さらに斜め上方に延びる上方延出部１８を一体に備えている。
【００３１】
上部連結杆１５は、前脚１３の斜行部１３ｂの上端に連続して形成され、斜行部１３ｂの上端で湾曲して後方に向かうにしたがって次第に上方に向かって延びるよう形成されている。上部連結杆１５の後端１５ｂは、後脚１４の斜行部１４ｂの上部に溶接、ロウ付け等により接合されている。
【００３２】
前フレーム１２は、左右の前脚１３，１３の斜行部１３ｂ，１３ｂの上端部から前方に向けて斜め上方に延びる斜行部１２ａ，１２ａと、斜行部１２ａの上方で湾曲して左右方向（水平方向）に延び、斜行部１２ａ，１２ａどうしを連結する水平フレーム部（支持脚）１２ｂと、を一体に備えている。前フレーム１２の各斜行部１２ａの下端は、前脚１３の斜行部１３ｂの上端部に溶接またはロウ付け等により接合されている。
この前フレーム１２により、左右の脚フレーム１１，１１は、その前部において互いに連結されている。この前フレーム１２は、座部２０に着座する利用者の体重が左右の前脚１３，１３に作用する際に、これら前脚１３，１３が左右方向外側に拡開することを防ぐ役割を担っている。
【００３３】
このような脚部１０において、左右の脚フレーム１１、１１の前脚１３及び後脚１４は、上方から下方に向かうにしたがって左右方向外側に向かうように形成されている。
また、左右の脚フレーム１１，１１において、左右の上部連結杆１５，１５は、その間隔が、それぞれの後端１５ｂから前端１５ａに向けて漸次小さくなるよう設けられている。これにより、左右の前脚１３，１３は、左右の後脚１４，１４に対し、床面から同じ高さにおける左右方向の間隔が小さい。
【００３４】
（背凭れ部）
背凭れ部３０は、樹脂材料により形成されている。背凭れ部３０は、板状で座部２０に着座する利用者の背中を受ける背本体３１と、背本体３１の左右方向両端の下部にそれぞれ設けられ、脚部１０に支持される被支持部３２と、を備えている。
【００３５】
背本体３１は、利用者の背中から作用する荷重に応じて撓むよう、複数の貫通孔３３が形成されている。これらの貫通孔３３はいかなる形状、レイアウトとしてもよい。例えば、貫通孔３３は、上下方向に延びる一定長のスリット状とすることができる。複数の貫通孔３３を上下方向に沿って間隔をあけて配列する。そして、このような複数の貫通孔３３の列を、左右方向に間隔をあけて複数配置する。ここで、互いに隣接する列の貫通孔３３どうしは、その高さが互いに異なるよう、いわゆる千鳥状に配置してもよい。
【００３６】
被支持部３２は、後脚１４の上方延出部１８が下方から嵌入される凹部（図示無し）を備えている。背凭れ部３０の左右方向両端部に設けられた被支持部３２の凹部（図示無し）に、左右方向両側の上方延出部１８が嵌入されることによって、脚部１０の左右の脚フレーム１１，１１の後脚１４，１４は、背本体３１を介して互いに連結されている。
【００３７】
この背凭れ部３０は、上部が上方に向かうにしたがって後方に傾斜するように形成されている。これにより、座部２０に着座する利用者の背中をより安定的に支持することが可能とされている。
【００３８】
また、背凭れ部３０の被支持部３２には、下方に向かうにしたがって次第に前方に向かって延び、後述する座部２０を支持する座部支持部３５が設けられている。
【００３９】
（座部）
図３は、椅子１において座部２０を上方に跳ね上げた状態を示す側面図である。図４は、座部２０の下面図である。図５は、座部２０の左右方向中心に沿った側断面図である。図６は、座部２０を構成する座部フレームおよび下部カバーを示す図であり、（ａ）は下部カバー２２に座部フレーム２１を装着する状態を示す斜視図、（ｂ）は下部カバー２２に座部フレーム２１を装着した状態を示す斜視図である。
座部２０は、板状をなし、脚部１０の左右の上部連結杆１５，１５および前フレーム１２の上方を覆うように配設されている。また、座部２０は、後端部２０ｒ側が座部支持部３５に回動自在に連結されている。これにより、図３に示すように、座部２０は、前端部２０ｆを上方に跳ね上げることができるようになっている。
【００４０】
図４、図５に示すように、座部２０は、座部フレーム２１と、座部フレーム２１の下方を覆う下部カバー２２と、座部フレーム２１の上方を覆う座面部材２３と、を備えている。
【００４１】
図６に示すように、座部フレーム２１は、座面部材２３を下方から支持する。座部フレーム２１は、前後方向に延びる左右一対のサイドフレーム２１ａ，２１ａと、サイドフレーム２１ａ，２１ａの後端部どうしを左右方向に連結する後部連結杆２１ｂと、サイドフレーム２１ａ，２１ａどうしを後部連結杆２１ｂよりも前方で左右方向に連結する前部連結杆２４と、を備えている。座部フレーム２１は、金属材料からなる管状の部材により形成されている。
左右両側のサイドフレーム２１ａは、後端で湾曲し、後部連結杆２１ｂに連続している。
【００４２】
前部連結杆２４は、所定長にわたって左右方向に延在する中間部２４ａと、中間部２４ａの両端部から斜め上方に向けて延出し、先端部がサイドフレーム２１ａに溶接、ロウ付け等によって接合された斜行部２４ｂと、を備えている。
前部連結杆２４は、両側のサイドフレーム２１ａの前端部２１ｆよりも所定寸法後方の位置に設けられている。これにより、それぞれのサイドフレーム２１ａは、その前端部２１ｆが前部連結杆２４よりも前方に突出している。ここで、前部連結杆２４は、サイドフレーム２１ａの前後方向の長さに対し、後方から２／３程度の位置に配置するのが好ましい。
【００４３】
座部フレーム２１は、各サイドフレーム２１ａの後端部から上方に向けて延出する支持アーム２５をさらに備えている。支持アーム２５は、金属材料からなる板状の材料により形成され、上方に向かうにしたがって次第に後方に向かうよう延びている。図６（ａ）に示すように、支持アーム２５の下端部２５ａは、サイドフレーム２１ａの外周面に沿うよう湾曲して形成され、サイドフレーム２１ａに溶接、ロウ付け等により接合されている。支持アーム２５の上端部には、貫通孔２５ｈが支持アーム２５の厚さ方向（左右方向）に貫通して形成されている。
【００４４】
下部カバー２２は、樹脂系材料を、後述するような所定形状に成形することによって構成されている。下部カバー２２は、座部フレーム２１の下方を覆うプレート部２２ａと、プレート部２２ａの外周部から上方に立ち上がる縁部２２ｂと、を備えている。
【００４５】
プレート部２２ａの上面側には、サイドフレーム２１ａ，２１ａの先端部２１ｆ，２１ｆが挿入される挿入部２６，２６と、前部連結杆２４が配置される前部凹部２７と、後部連結杆２１ｂが配置される後部凹部２８と、プレート部２２ａの前端部において、縁部２２ｂに沿って左右方向に延びる補強リブ２２Ｌと、が一体に形成されている。
【００４６】
挿入部２６は、プレート部２２ａの前端部において左右方向両側にそれぞれ形成されている。挿入部２６は、例えば直方体状で、後方に向けて開口した有底状の挿入穴２６ｓを有している。挿入部２６の挿入穴２６ｓには、サイドフレーム２１ａの前端部２１ｆが後方から挿入されるようになっている。
サイドフレーム２１ａの前端部２１ｆは、前方に向かうにしたがってその上下方向の外形寸法が次第に小さくなるように形成してもよい。これにより挿入穴２６ｓへのサイドフレーム２１ａの前端部２１ｆの挿入を容易に行うことができる。
また、プレート部２２ａ上には、挿入部２６から前方に向けて延びる補強リブ２６Ｌを備えている。
【００４７】
図５、図６（ｂ）に示すように、前部凹部２７は、座部フレーム２１の左右のサイドフレーム２１ａの前端部２１ｆをそれぞれ挿入部２６の挿入穴２６ｓに挿入した状態で、前部連結杆２４と対向する位置に形成されている。この前部凹部２７は、左右方向に連続し、下方に向けて凹んでいる。前部凹部２７の底部には、上方に向けて突出する凸部２７ｔが、左右方向に間隔を空けて複数形成されている。この前部凹部２７内には、前部連結杆２４の中間部２４ａが挿入される。そして、中間部２４ａが複数の凸部２７ｔに突き当たることで、前部連結杆２４の下方への移動が規制される。
また、図５に示すように、下部カバー２２のプレート部２２ａの下面２２ｕ側には、前部凹部２７を形成することによって下方に向けて突出し、左右方向に連続する突条５０が形成されている。突条５０の下端部には、上方に向けて凹となる凹溝５１が、左右方向に連続して形成されている。これにより、凹溝５１の両側には、下方に向けて突出する凸部５０ｔ，５０ｔが左右方向に連続して形成されている。
【００４８】
図６（ｂ）に示すように、後部凹部２８は、座部フレーム２１の左右のサイドフレーム２１ａの前端部２１ｆをそれぞれ挿入部２６の挿入穴２６ｓに挿入した状態で、後部連結杆２１ｂおよびその両側に連続するサイドフレーム２１ａ，２１ａの後端部と対向する位置に、下方に向けて凹んで形成されている。
【００４９】
下部カバー２２の後端部の左右方向両側には、縁部２２ｂから連続して上方に向けて立ち上がるアームカバー部２９が形成されている。アームカバー部２９は、下部カバー２２の後端部から上方に向かうにしたがって次第に後方に向かうように形成されている。アームカバー部２９は、座部フレーム２１の左右のサイドフレーム２１ａの前端部２１ｆをそれぞれ挿入部２６の挿入穴２６ｓに挿入し、前部連結杆２４の中間部２４ａを前部凹部２７内に挿入した状態で、座部フレーム２１の支持アーム２５に沿う位置に形成されている。図６（ａ）に示すように、アームカバー部２９は、支持アーム２５に対し、左右方向外方側に沿うプレート部２９ｐと、プレート部２９ｐの外周側に沿って左右方向内方に向けて立ち上がる周壁部２９ｗと、を一体に備えている。また、アームカバー部２９のプレート部２９ｐには、貫通孔２９ｈがプレート部２９ｐの厚さ方向（左右方向）に貫通して形成されている。
【００５０】
図６（ｂ）に示すように、このような下部カバー２２に対し、座部フレーム２１は、座部フレーム２１の左右のサイドフレーム２１ａの前端部２１ｆをそれぞれ挿入部２６の挿入穴２６ｓに挿入するとともに、左右の支持アーム２５をアームカバー部２９の周壁部２９ｗの内方でプレート部２９ｐに沿わせて装着される。これにより下部カバー２２と座部フレーム２１とが一体化される。この状態で、前部凹部２７内に、前部連結杆２４の中間部２４ａが配置され、後部凹部２８内に後部連結杆２１ｂおよびその両側に連続するサイドフレーム２１ａ，２１ａの後端部が配置される。
【００５１】
この状態で、左右両側のサイドフレーム２１ａの前端部２１ｆが挿入部２６の有底状の挿入穴２６ｓに後方から挿入されることで、座部フレーム２１は、下部カバー２２に対し、上下方向、左右方向、および前方への移動が規制される。
また、左右両側の支持アーム２５がアームカバー部２９のプレート部２９ｐに沿うことで、座部フレーム２１は、左右方向への移動が規制される。さらに、左右両側の支持アーム２５は、アームカバー部２９の周壁部２９ｗの内方に位置することで、支持アーム２５の上下方向および前後方向への移動範囲が周壁部２９ｗによって規制される。これによって、座部フレーム２１の後端部の上下方向および前後方向への移動範囲が規制される。
さらに、この状態で、前部連結杆２４は、前部凹部２７内に収容され、複数の凸部２７ｔに突き当たる。前部連結杆２４と複数の凸部２７ｔとの間に生じる摩擦によって、座部フレーム２１の前後方向の移動は抑制される。さらに、前部連結杆２４の前後方向への移動量は、前部凹部２７の前後方向の幅の範囲内に規制される。このようにして、座部フレーム２１の前後方向への移動が制限される。
【００５２】
図７は、座部２０を構成する座部フレーム２１、下部カバー２２、座面部材２３のベース板４１を示す図であり、図４におけるＡ−Ａ矢視断面図である。
図７に示すように、下部カバー２２のアームカバー部２９には、内側カバー４０が装着可能とされている。内側カバー４０は、支持アーム２５に対し、アームカバー部２９とは反対側に配置される。内側カバー４０は、アームカバー部２９の周壁部２９ｗの内側の、支持アーム２５を収容した空間を閉塞するよう装着される。内側カバー４０とアームカバー部２９とは、図示しない係止爪等により互いに係合可能とされている。
内側カバー４０には、アームカバー部２９の貫通孔２９ｈに対向する位置に、貫通孔４０ｈ（図５参照）が形成されている。
【００５３】
図５に示すように、座面部材２３は、利用者の荷重を受ける。座面部材２３は、ベース板４１と、クッション材４２と、表皮材４３と、を備えている。
【００５４】
図８は、ベース板４１の下面図である。
図８に示すように、ベース板４１は、樹脂材料を所定形状に成形することによって構成されている。ベース板４１の下面４１ｕには、左右方向両側に設けられた側部保持部４４と、ベース板４１の前端部４１ｆよりも後方に設けられた前部保持部４５と、ベース板４１の後端部に沿って設けられた後部保持部４６と、が形成されている。
【００５５】
側部保持部４４は、座部フレーム２１のサイドフレーム２１ａを挟んで左右方向に対向する保持壁４４ａ，４４ｂを備えている。ベース板４１において左右方向外方に位置する保持壁４４ａは、ベース板４１の下面４１ｕから下方に突出し、前後方向に沿って連続して形成されている。ベース板４１において、保持壁４４ａに対して左右方向内方に位置する保持壁４４ｂは、ベース板４１の下面４１ｕから下方に突出して形成されている。
【００５６】
また、側部保持部４４は、保持壁４４ａ，４４ｂの前方と後方に、それぞれ左右一対のクランプ爪４７，４７を備えている。クランプ爪４７，４７は、ベース板４１の下面４１ｕから下方に向けて突出して形成されている。クランプ爪４７，４７は、座部フレーム２１のサイドフレーム２１ａの外径と同等の幅を隔てて左右方向に沿って対向している。そして、クランプ爪４７，４７の先端部には、クランプ爪４７，４７どうしが対向する方向に突出する係止爪（図示無し）がそれぞれ形成されている。これにより、図７に示すように、クランプ爪４７、４７の間に、座部フレーム２１のサイドフレーム２１ａが嵌め込まれて保持されるようになっている。
【００５７】
図８に示すように、前部保持部４５は、座部フレーム２１の前部連結杆２４が入り込むよう、前後方向に間隔を空けて対向した保持壁（第１保持壁）４５ａ、保持壁（第２保持壁）４５ｂを備えている。保持壁４５ａ，４５ｂは、ベース板４１の下面４１ｕから下方に突出し、左右方向に沿って連続して形成されている。図５に示すように、保持壁４５ｂは、前部連結杆２４を挟んで保持壁４５ａと反対側に配置されている。そして、前部保持部４５の保持壁４５ａ，４５ｂの内方に座部フレーム２１の前部連結杆２４が入り込んだ状態で、前部連結杆２４とベース板４１の下面４１ｕとの間には、上下方向に空隙Ｃ１が形成されている。また、この状態で、前部連結杆２４と保持壁４５ａとの間には、空隙ＣＡが形成されるとともに、前部連結杆２４と保持壁４５ｂとの間には空隙ＣＢが形成されている。なお、これら空隙ＣＡ，ＣＢは形成されずに、前部連結杆２４と保持壁４５ａ，４５ｂとが当接する構成であってもよい。
【００５８】
図８に示すように、後部保持部４６は、座部フレーム２１の後部連結杆２１ｂが入り込むよう、前後方向に間隔を空けて対向した保持壁４６ａ，４６ｂを備えている。保持壁４６ａ，４６ｂは、ベース板４１の下面４１ｕから下方に突出し、左右方向に沿って形成されている。図５に示すように、保持壁４６ｂの保持壁４６ａ，４６ｂの内方に座部フレーム２１の後部連結杆２１ｂが入り込んだ状態で、後部連結杆２１ｂとベース板４１の下面４１ｕとの間には、上下方向に空隙Ｃ２が形成されるようになっている。
【００５９】
図８に示すように、ベース板４１において、左右の側部保持部４４，４４、前部保持部４５、後部保持部４６に囲まれた領域であるとともに、座部フレーム２１のサイドフレーム２１ａに支持された領域である荷重支持領域Ｓｒには、同領域Ｓｒが利用者の臀部から作用する荷重に弾性変形し、下方に向けて撓むことを助長するよう、ベース板４１の厚さ方向に貫通する複数の貫通孔４１ｈが形成されている。この荷重支持領域Ｓｒは、ベース板４１の平面視中央側に配置されている。これらの貫通孔４１ｈはいかなる形状、レイアウトとしてもよい。例えば、多数の貫通孔４１ｈを、放射状に配置してもよい。また、座面部材２３をより変形しやすい素材からなるものとしたり、薄い部材からなるものとすることによって、貫通孔４１ｈを形成しないこともある。
【００６０】
また、ベース板４１において、荷重支持領域Ｓｒの前側の前側領域Ｓｆには、前部保持部４５の前方側の保持壁４５ａと、ベース板４１の前端部４１ｆとの間に、前後方向に連続するリブ４１Ｌが、左右方向に間隔を空けて複数設けられている。さらに、ベース板４１の前端部４１ｆには、左右方向に連続し、複数のリブ４１Ｌどうしを連結する連結壁４１ｗが一体に形成されている。また、各リブ４１Ｌの後端部は、前部保持部４５の保持壁４５ａに一体に接合されている。
【００６１】
このようにして、ベース板４１において、荷重支持領域Ｓｒと、荷重支持領域Ｓｒの前側に配置された前側領域Ｓｆとで上方からの荷重による弾性変形の発生のし易さが異なるように設定されている。すなわち、ベース板４１において前部保持部４５の荷重支持領域Ｓｒは、利用者が着座したときに利用者の臀部から作用する荷重に応じて下方に向けて撓みやすくなっている。また、ベース板４１において、前部保持部４５の前側領域Ｓｆは、複数のリブ４１Ｌによって、着座者の大腿部を安定的な状態で支持することができる。
【００６２】
つまり、前側領域Ｓｆは、荷重支持領域Ｓｒよりも相対的に弾性変形しにくい構成とされている。これら前側領域Ｓｆと荷重支持領域Ｓｒとの境界である境界部Ｋｆに、保持壁４５ａ，４５ｂが設けられている。
【００６３】
このような座面部材２３は、内方に座部フレーム２１をセットした下部カバー２２の縁部２２ｂに対し、上方から装着される。そして、側部保持部４４の前後のクランプ爪４７，４７に座部フレーム２１のサイドフレーム２１ａが挿入・保持されることで、座面部材２３が座部フレーム２１に一体に連結される。
このようにして、座部２０は、下部カバー２２と座面部材２３とが、座部フレーム２１を介して一体に連結されている。
【００６４】
また、座面部材２３は、前部連結杆２４よりも前方において、一対のサイドフレーム２１ａ，２１ａの前端部２１ｆ，２１ｆ間を覆うよう設けられているため、座面部材２３の前端部は遊端部となる。これにより、上記のように座面部材２３と座部フレーム２１とが一体に連結された状態において、座面部材２３の前側領域Ｓｆは、着座する利用者からの荷重を受けると、前端部に向かうにしたがって下方に弾性変形しやすくなる。よって、前側領域Ｓｆは、着座者の大腿部を柔軟に支持することができる。
【００６５】
その一方で、前側領域Ｓｆは、ベース板４１自体の構造により、荷重支持領域Ｓｒよりも相対的に下方に弾性変形しにくい構成とされている。よって、前側領域Ｓｆでは、過度の弾性変形や、それによる破損及び経年劣化を防止できるようになっている。
【００６６】
座部２０は、座面部材２３を座部フレーム２１および下部カバー２２に装着した状態で、支持アーム２５、支持アーム２５を覆う下部カバー２２のアームカバー部２９および内側カバー４０が、座面部材２３の後部の左右両側から、それぞれ上方に向けて突出している。
【００６７】
このような座部２０は、左右の座部支持部３５に回動自在に連結されている。これには、内側カバー４０、支持アーム２５および下部カバー２２のアームカバー部２９の貫通孔４０ｈ、２５ｈ、２９ｈにボルト（図示無し）を貫通させ、その先端部を座部支持部３５に形成されたネジ穴（図示無し）に締結させている。このようにして、座部２０は、後端部２０ｒ側が脚部１０に回動可能に連結されて、前端部２０ｆが上方に跳ね上げ可能とされている。
【００６８】
図２に示すように、座部２０の前端部２０ｆを降ろした状態では、下部カバー２２のプレート部２２ａの下面側に形成された突条５０の凹溝５１が、脚部１０の前フレーム１２の水平フレーム部１２ｂ上に載置される。このとき、図５に示すように、下部カバー２２の上面側に形成された前部凹部２７内に、座部フレーム２１の前部連結杆２４の中間部２４ａが挿入されている。つまり、脚部１０の前フレーム１２の鉛直上方に、下部カバー２２を介して、座部フレーム２１の前部連結杆２４が位置するようになっている。
【００６９】
また、図３に示すように、座部２０を上方に跳ね上げた状態では、複数の椅子１を、前後方向に重畳することができるようになっている。ここで、脚部１０は、前方に向けて左右方向の幅が漸次小さくなっているので、前方の椅子１の脚部１０の内側に、後方の椅子１の脚部１０を挿入することで、複数の椅子１を前後方向に重畳することが可能となっている。
もちろん、複数の椅子１は、上下方向に積み重ねることもできる。この場合には、下方に配設された下位の椅子１の前脚１３及び後脚１４の上方且つ前方に、上方に配設された上位の椅子１の前脚１３及び後脚１４が位置するように、複数の椅子１を順次上方に積み重ねることができる。なお、積み重ね可能な構造としては周知の構造が採用可能である。
【００７０】
このような椅子１に利用者が着座すると、利用者の荷重によって、座部２０は、表皮材４３およびクッション材４２が下方に向けて弾性変形し、ベース板４１も下方に向けて弾性変形し撓む。このとき、ベース板４１の荷重支持領域Ｓｒにおいては、ベース板４１全体が下方に撓み、ベース板４１の荷重支持領域Ｓｒの前後の端部に位置する前部保持部４５、後部保持部４６内で前部連結杆２４、後部連結杆２１ｂにベース板４１が突き当たって当接すると、それ以上のベース板４１の下方への変位が規制される。また、ベース板４１の左右両端部では、側部保持部４４内で座部フレーム２１のサイドフレーム２１ａにベース板４１が突き当たることで、ベース板４１の下方への変位が規制される。
【００７１】
また、座部２０に後向きの力が作用した場合には、ベース板４１が後方に変位しようとするが、後方へ変位した前部保持部４５の保持壁４５ａと前部連結杆２４とが当接する（図５の二点鎖線参照）ことにより、ベース板４１の後方へのそれ以上の変位が規制される。
また、座部２０に前向きの力が作用した場合には、ベース板４１が前方に変位しようとするが、前方へ変位した前部保持部４５の保持壁４５ｂと前部連結杆２４とが当接する（図５の二点鎖線参照）ことにより、ベース板４１の前方へのそれ以上の変位が規制される。
これにより、荷重支持領域Ｓｒにおいては、その外周部では、一定以上の座面の下方への移動が規制されて剛性感が得られる一方、その内周部では、弾力感が得られる。
【００７２】
その一方で、前側領域Ｓｆでは、後方への変位が規制された状態で、前部が下方へ傾斜するように変形するとともに、複数のリブ４１Ｌによって、着座者の大腿部を安定的な状態で支持することができる。
このようにして、利用者が良好で安定した着座感を得られるようになっている。
【００７３】
また、利用者の荷重によるベース板４１の上記したような下方への撓みが生じるとき、ベース板４１の内周部で下方に向けて撓みが生じることによって、ベース板４１の外周部が内周側に引き込まれるような変位が生じる。このような変位に対し、前部保持部４５は、保持壁４５ａの前方に複数のリブ４１Ｌが設けられているため、保持壁４５ａの剛性を高め、変位に対して大きな抵抗力を発揮できる。
【００７４】
（椅子の組立方法）
次に、上記したような椅子１の組立方法について説明する。
図６（ａ）に示すように、座部２０を組み立てるには、下部カバー２２に対し、座部フレーム２１を後方から斜め下方に向けて差し込み、座部フレーム２１の左右のサイドフレーム２１ａの前端部２１ｆをそれぞれ挿入部２６の挿入穴２６ｓに挿入する。このサイドフレーム２１ａの前端部２１ｆの挿入動作と並行して、座部フレーム２１の後端部２１ｒを下方に向けて降ろす。これには、下部カバー２２の両側のアームカバー部２９を左右方向外方に向けて広げるように弾性変形させ、座部フレーム２１の両側の支持アーム２５を、アームカバー部２９の内側に落とし込む。この後、アームカバー部２９から手を離すと、アームカバー部２９が左右方向内方に向けて復元する。すると、図６（ｂ）に示すように、左右の支持アーム２５がアームカバー部２９の周壁部２９ｗの内方に入り込み、プレート部２９ｐに沿う。これにより下部カバー２２と座部フレーム２１とが一体化される。
【００７５】
次いで、座面部材２３を、内方に座部フレーム２１がセットされた下部カバー２２の縁部２２ｂに対し、上方から装着する。そして、側部保持部４４の前後のクランプ爪４７，４７に座部フレーム２１のサイドフレーム２１ａを挿入・保持させることで、座面部材２３が座部フレーム２１に一体に連結される。
【００７６】
このようにして組み立てられた座部２０は、左右の座部支持部３５に連結する。これには、内側カバー４０、支持アーム２５および下部カバー２２のアームカバー部２９の貫通孔４０ｈ、２５ｈ、２９ｈにボルト（図示無し）を貫通させ、その先端部を座部支持部３５に形成されたネジ穴（図示無し）に締結させる。
【００７７】
背凭れ部３０は、背凭れ部３０の左右方向両端部に設けられた被支持部３２の凹部（図示無し）に、脚部１０の後部で斜め後方に向けて延出する上方延出部１８を嵌入させる。
このようにして、椅子１を組み立てることができる。
【００７８】
上述した椅子１によれば、着座者の臀部を支持する荷重支持領域Ｓｒは、大きく弾性変形して撓み、下方に大きく変位する。これにより、荷重支持領域Ｓｒよりも前側に配置された境界部Ｋｆにおいて、ベース板４１の下面４１ｕは荷重支持領域Ｓｒの前側に配置された前部連結杆２４と当接する。つまり、座面部材２３において、前部連結杆２４と当接する部分は、着座者の臀部を支持する荷重支持領域Ｓｒよりも前側に配置されている。よって、着座者の臀部を支持する荷重支持領域Ｓｒには前部連結杆２４とベース板４１との当接する感触が伝達されにくいため、良好な座り心地とすることができる。
【００７９】
また、前部連結杆２４とベース板４１とが当接し、ベース板４１の下方への変位が規制された状態において、荷重支持領域Ｓｒでは、着座者の臀部を支持し、座部２０が下方に撓んで着座者の臀部を下方から包み込むように変形する。その一方で、前側領域Ｓｆでは、着座者の大腿部を支持し、座部２０の前部が下方へ傾斜するように変形する。よって、座部２０は着座者の体の部位に沿って変形することができるため、良好な座り心地とすることができる。
【００８０】
また、座部２０に後向きの力が作用した場合には、ベース板４１が後方に変位しようとするが、後方へ変位した前部保持部４５の保持壁４５ａと前部連結杆２４とが当接することにより、ベース板４１の後方へのそれ以上の変位が規制される。これにより、荷重支持領域Ｓｒでは、最も下方へ変位し、着座者の臀部を支持し、座部２０が下方に撓んで着座者の臀部を下方から包み込むように変形する。その一方で、前側領域Ｓｆでは、後方への変位が規制された状態で、前部が下方へ傾斜するように変形して、着座者の大腿部を前後位置のずれが生じにくい安定的な状態で支持することができる。
また、前部連結杆２４と保持壁４５ａとの当接位置を、前側領域Ｓｆの前部が下方へ傾斜するように変形するときの明確な支点とすることができる。よって、前側領域という限定的な範囲においてのみ、着座者の大腿部に合わせて前部が下方へ傾斜するように変位させることができ、座部２０をより着座者の身体の部位に沿って変形させることができる。
このように、作用する力に応じて、荷重支持領域Ｓｒと前側領域Ｓｆとは、それぞれ独立した変形、変位が可能とされている。
【００８１】
また、座部に加わる荷重の向きや大きさによって、ベース板４１において、鉛直下方に変位せずに、後部が下方へ傾斜するように変位して、前部連結杆２４がベース板４１の下面４１ｕよりも先に保持壁４５ａへ当接する場合であっても、変位の方向を鉛直下方へ引き戻すことが可能になる。
【００８２】
また、保持壁４５ａが左右方向に延びているため、ベース板４１の左右方向にわたってベース板４１の後方への変位が規制される。よって、荷重支持領域Ｓｒと前側領域Ｓｆとを左右方向にわたって明確に区別することができる。したがって、前側領域Ｓｆという限定的な範囲においてのみ、着座者の大腿部に合わせて前部が下方へ傾斜するように変位させることができる。
【００８３】
また、ベース板４１の保持壁４５ａの前側に前後方向に延びるリブ４１Ｌが設けられているため、前側領域Ｓｆでは、剛性が高められ、着座者の荷重による変形が抑制される。よって、前側領域Ｓｆは、荷重支持領域Ｓｒの変位の影響を受けることなく、着座者の大腿部に沿って変形することができる。
【００８４】
また、座部２０に作用する荷重が取り除かれると、座部２０は、前部連結杆２４から保持壁４５ａを離間させるように変位して、荷重が作用する前の初期位置に戻ろうとする。このとき、前部連結杆２４は保持壁４５ａと保持壁４５ｂとの間に配置されるため、前部連結杆２４のベース板４１に対する位置決めがされる。よって、座部２０が初期位置に戻ろうとする際の座部２０の変位量が抑制されるため、座部２０の劣化を抑制することができる。
【００８５】
また、座部に加わる荷重の向きや大きさによって、ベース板４１において、鉛直下方に変位せずに、前部が下方へ傾斜するように変位して、前部連結杆２４がベース板４１の下面４１ｕよりも先に保持壁４５ｂへ当接する場合であっても、変位の方向を鉛直下方へ引き戻すことが可能になる。これにより、荷重支持領域Ｓｒでは、前方への変位が規制された状態で、着座者の臀部を支持し、座部２０が下方に撓んで着座者の臀部を下方から包み込むように変形する。その一方で、前側領域Ｓｆでは、前方への変位が規制された状態で、前部が下方へ傾斜するように変形して、着座者の大腿部を安定的な状態で支持することができる。
【００８６】
また、座部２０の前端部２０ｆが前方に向け着座可能とされた位置まで座部２０を回動した際に、脚部１０の水平フレーム部１２ｂの鉛直上方には、下部カバー２２の下面から下方に向かって突出する突条５０が配置される。また、この突条５０の鉛直上方には座面部材２３を支持する前部連結杆２４が配置されている。よって、これら突条５０及び前部連結杆２４が座部２０を回動した際の水平フレーム部１２ｂと座部２０との衝撃を吸収するため、強度の優れた椅子１とすることができる。
【００８７】
（変形例）
なお、本発明の椅子は、図面を参照して説明した上述の実施形態に限定されるものではなく、その技術的範囲において様々な変形例が考えられる。
例えば、上記に示す実施形態においては、リブ４１Ｌは、ベース板４１の前側領域Ｓｆに設けられているが、本発明はこれに限られず、リブ４１Ｌが設けられていなくてもよい。
【００８８】
また、利用者が座部２０に着座していない状態において、後部連結杆２１ｂ又は前部連結杆２４の左右両端部がベース板４１に当接又は近接している構成であってもよい。
【００８９】
加えて、座部フレーム２１や下部カバー２２の構成をはじめとして、椅子１の各部の構成は、設計事項により適宜他の構成に代えてもよい。
これ以外にも、本発明の主旨を逸脱しない限り、上記実施の形態で挙げた構成を取捨選択したり、他の構成に適宜変更したりすることが可能である。
【符号の説明】
【００９０】
１  椅子
１０  脚部
１２ｂ  水平フレーム部（支持脚）
２０  座部（座部材）
２０ｆ  前端部
２０ｒ  後端部
２１  座部フレーム
２１ａ  サイドフレーム
２１ｂ  後部連結杆
２１ｆ  前端部
２１ｒ  後端部
２２  下部カバー
２３  座面部材
２４  前部連結杆
２５  支持アーム
２６  挿入部
２６ｓ  挿入穴
２７  前部凹部
２９  アームカバー部
３０  背凭れ部
４１Ｌ  リブ
４４ａ，４４ｂ  保持壁
４５ａ  保持壁（第１保持壁）
４５ｂ  保持壁（第２保持壁）
４６ａ，４６ｂ  保持壁
４７  クランプ爪
５０  突条
Ｋｆ  境界部
Ｓｆ  前側領域
Ｓｒ  荷重支持領域
【図１】
0006452224.tif 000002
【図２】
0006452224.tif 000003
【図３】
0006452224.tif 000004
【図４】
0006452224.tif 000005
【図５】
0006452224.tif 000006
【図６】
0006452224.tif 000007
【図７】
0006452224.tif 000008
【図８】
0006452224.tif 000009